(57)【要約】【課題】トイレや浴室の外に置いた車椅子から便器や浴槽との間の座位による移乗を可能にする。隠蔽性が確保でき、移乗に介護が必要な場合でも介護者の負担が小さく、かつ健常者が同一のトイレや浴室を支障なく使用できるようにする。【解決手段】トイレや浴室の壁面２に沿って設置され、座板７を壁面２に添設した状態で折り畳むことが可能な、座位で横方向に滑り移動できる移動台１０を提供する。トイレないし浴室の壁面２ａ、２ｂに座板７及び当該座板を支持するステイ５が添設された状態に折畳まれ、この折畳み状態で座板の座幅方向の一方の端部７ａが当該トイレないし浴室の入口境界４の内側に位置し、座板７を展開したときに、当該端部全体ないし当該端部の後方に延在させた部分７ｃが前記入口境界の外に突出する。【選択図】図５
2010057865.tif 000002
【特許請求の範囲】
【請求項１】
トイレないし浴室の入口境界(4)に直交する壁面(2a)に沿って設置された座幅方向に長い矩形の座板(7)を備え、当該座板及び当該座板を支持するステイ(5)ないし脚(8)が前記壁面に添設された状態に折畳まれ、この折畳み状態で座板(7)の前記入口境界側の端部(7a)が当該入口境界の内側に位置し、前記座板を水平に展開したときに、当該端部が前記入口境界の外に進出する、トイレないし浴室の滑り移動台。
【請求項２】
トイレないし浴室の入口境界(4)に直交する壁面(2a)に沿って設置された、座幅方向に長い矩形の前記入口境界側の端部(7a)に後方に延びる後縁突出部(7c)を備えた幅広Ｌ形の、座板(7)を備え、当該座板及び当該座板を支持するステイ(5)ないし脚(8)が前記座板の座面を室内に向けて（前記後縁突出部を上方にして）前記壁面に添設された状態に折畳まれ、この折畳み状態で座板(7)の前記端部及び後縁突出部が当該入口境界の内側に位置し、前記座板を水平に展開したときに、当該端部及び後縁突出部が前記入口境界の外に進出する、トイレないし浴室の滑り移動台。
【請求項３】
トイレないし浴室の入口境界(4)の延長上に位置する壁面(2b)に沿って設置された、座幅方向に長い矩形の前記入口境界側の端部(7a)に後方に延びる後縁突出部(7c)を備えた幅広Ｌ形の、座板(7)を備え、当該座板及び当該座板を支持するステイ(5)ないし脚(8)が前記座板の座面を室内に向けて（前記後縁突出部を上方にして）前記壁面に添設された状態に折畳まれ、この折畳み状態で座板(7)の前記端部及び後縁突出部が当該入口境界の内側から前記壁面側に退避し、前記座板を水平に展開したときに、当該端部が前記入口境界の内側に進出すると共に前記後縁突出部が前記入口境界の外に進出する、トイレないし浴室の滑り移動台。
【発明の詳細な説明】
【技術分野】
【０００１】
この発明は、車椅子から座位でトイレの便座や浴槽に移動できるようにした移動台に関するものである。
【背景技術】
【０００２】
下肢の障害や運動神経系の障害のために、あるいは加齢による筋力の低下によって歩行が困難になった者は車椅子を使用する。車椅子使用者は、日常生活において、ベッドと車椅子間、便器と車椅子間及び浴槽と車椅子間の移乗を必要とする。歩行が困難であっても、起立し旋回し静かに着座することができる者は、手すりなどを適切に設けることによって、これらの間での移乗を比較的円滑に行うことができる。
【０００３】
しかし、立上がりや静かに着座する動作を行うことも困難であるときは、座位のままこれらの間の移乗を行うことが必要になる。ベッドと車椅子の移乗においては、座位移乗の手段としてスライディングボードが使用されている。便器との間の移動は、便器の両側に折畳み式の手すりを設けることにより、車椅子を便器に接近させた状態で座位移乗するようにしている。また、浴槽への移動は、車椅子から浴槽用の椅子に移乗して介護者が浴槽内へ移動させるのが一般的である。
【０００４】
歩行が困難な者であっても、自主的な日常生活を送るためには、これらの移乗をできるだけ自分一人で行えるようにすることが必要である。また、たとえ介護者の手を借りるにしても、介護者の負担をできるだけ軽減することが必要である。特に排泄のための便器への移乗については、できるだけ自分一人で行いたいという感情や排泄行為を人に見られたくないという感情が強く働く。
【０００５】
上述した手段で車椅子と便座との間の座位移乗を可能にするためには、車椅子を便器に隣接する位置まで接近させることが必要であり、便器の回りに広い空間が必要である。そのため、一般の家庭ではこのような移乗手段を採ることができない。そこで一般の家庭では、立位による車椅子から便器への移乗が困難になると、ベッドの近くにポータブル式の便器を置いて、そこで排泄行為を行わざるを得ないのが実情である。
【発明の開示】
【発明が解決しようとする課題】
【０００６】
しかし、ポータブル式の便器は、使用時にトイレのような隠蔽性が保障されないこと、居住空間に排泄物の臭いが漏れること、介護者がポータブルトイレ内の排泄物の廃棄を行わなければならないことなどの問題があって、ポータブル式の便器の使用には、特に精神的な苦痛が伴いやすく、生活の品質を大きく低下させる要因となりやすい。
【０００７】
また、立位を保持できない車椅子使用者が座位で車椅子から浴槽や浴室用椅子などに移乗することは困難である。
【０００８】
そこでこの発明は、狭い一般家庭のトイレや浴室に設置することにより、車椅子とトイレ内の便器や浴室内の浴槽ないし浴室用椅子との間の座位による移乗を可能にし、かつ排泄時や入浴時の隠蔽性が確保でき、移乗に介護が必要な場合でも介護者の負担が小さく、かつ車椅子使用者と健常者とが同一のトイレや浴室を支障なく使用することができる移動台を提供することを課題としている。
【課題を解決するための手段】
【０００９】
上記課題を解決したこの出願の請求項１の発明に係るトイレないし浴室の滑り移動台は、トイレないし浴室の入口境界４に直交する壁面２ａに沿って設置された座幅方向に長い矩形の座板７を備えいる。当該座板７及び展開時に座板７を支持するステイ５（５ａ、５ｂ）や脚８（８ａ、８ｂ）は、滑り移動台１０を設置した壁面２に添設された状態に折畳まれる。この折畳み状態では、座板７の入口境界４側の端部７ａが入口境界４のすぐ内側に位置する。座板７を水平に展開したときには、当該端部７ａが入口境界４の外に進出する。
【００１０】
車椅子使用者は、入口境界４の外に進出した座板の端部７ａとの間で、車椅子と滑り移動台との間の移乗を行う。移動台１０に移乗した車椅子使用者は、座板７上を座幅方向に滑り移動して、便座２０や浴槽３９に隣接する位置まで移動する。
【００１１】
上記課題を解決したこの出願の請求項２の発明に係るトイレないし浴室の滑り移動台は、トイレないし浴室の入口境界４に直交する壁面２ａに沿って設置された、座幅方向に長い矩形の入口境界４側の端部７ａに後方に延びる後縁突出部７ｃを備えた幅広Ｌ形の、座板７を備えている。座板７及び展開時に座板７を支持するステイ５ないし脚８は、座板７の座面を室内に向けて、従って後縁突出部７ｃを上方にして、滑り移動台１０を設置した壁面２ａに添設された状態に折畳まれる。この折畳み状態で、座板７の端部７ａ及び後縁突出部７ｃは、入口境界４のすぐ内側に位置する。座板７を水平に展開したときには、前記端部７ａ及び後縁突出部７ｃが入口境界４の外に進出する。
【００１２】
請求項２の発明に係る滑り移動台は、外開き式のドアを備えたトイレに設置するのに特に適している。入口境界４の外に進出した後縁突出部７ｃがドアの開閉軌跡３ａから離隔する方向に進出する。車椅子使用者は、進出した後縁突出部７ｃとの間で、車椅子と滑り移動台との間の移乗を行う。この構造の場合、乗り捨てた車椅子と干渉させないで、外開きドアを開閉できる。
【００１３】
上記課題を解決したこの出願の請求項３の発明に係るトイレないし浴室の滑り移動台は、トイレないし浴室の入口境界４の延長上に位置する壁面２ｂに沿って設置された、座幅方向に長い矩形の入口境界４側の端部７ａに後方に延びる後縁突出部７ｃを備えた幅広Ｌ形の、座板７を備えている。座板７及び展開時に座板７を支持するステイ５や脚８は、座板７の座面を室内に向けて、すなわち後縁突出部７ｃを上方にして、滑り移動台１０を設置した壁面２ｂに添設された状態に折畳まれる。この折畳み状態では、座板７の前記端部７ａ及び後縁突出部７ｃは、入口境界４の内側から壁面２ｂの入口境界４に隣接した位置に移動する。座板７を水平に展開したときには、前記端部７ａが入口境界４の内側に進出すると共に、後縁突出部７ｃが入口境界４の外に進出する。
【００１４】
請求項３の発明に係る滑り移動台は、入口境界４の延長上に位置する壁面２ｂを備え、ドアの当該壁面２ｂ側が開き側となる構造のトイレや浴室に設置されるもので、内開き式のドアが室の中央に向かって開口するのが一般的な、浴室に特に適している。この構造では、入口境界４の外に進出した後縁突出部７ｃとの間で、車椅子と滑り移動台との間の移乗を行う。
【００１５】
この発明の滑り移動台１０は、座幅方向、すなわち、座った状態での左右方向に長い矩形ないし矩形の長手一端の後縁側を後方に突出させた幅広Ｌ形の座板７を備えている。この座板７は、展開・折畳み動作に伴って前記一端側へと座幅方向（前記矩形の長手方向）に移動する。
【００１６】
座板７を折り畳んで、座板７及びこれを支持するステイ５及び脚８をトイレや浴室の壁面２に添設したとき、展開時に入口境界４の外に突出していた座板の端部７ａ、７ｃは、入口境界４から壁面２側へと退避する。従って、車椅子使用者が便座２０や浴槽３９に移動した後、移動台１０を折り畳むことにより、トイレや浴室のドア３を閉めることができる。
【００１７】
好ましい滑り移動台は、鉛直な折畳み位置と傾斜した展開位置との間で下端回りに前後方向に揺動するステイ５ａと、このステイの先端に人が着座可能な前後寸法に相当するストロークで座幅方向に相対移動自在かつ上方に揺動自在に前縁を連結された座板７と、座板７の展開時にその後縁側を支持する後縁支持部材１２ａとを備えている。この構造は、ステイ５ａを斜め前方に倒し、座板７の後縁側を壁面側に設けた後縁支持部材１２ａに上方から係止することによって、座板７が展開される。
【００１８】
上記構造の滑り移動台において、座板７の前縁側の長手両端と展開したときに進出する側の端部７ａの後縁側とに脚８（８ａ、８ｂ）を前方に揺動可能に設け、これらの脚８の鉛直姿勢を保持する平行リンク機構９（９ａ、９ｂ。プーリとベルトで形成されるものを含む。）を設けることにより、座板７に着座した人の荷重を脚８を介してトイレや浴室の床面１で支持することができる。
【００１９】
更に好ましいこの発明の滑り移動台は、基端を上下方向の旋回軸回りに９０ないし１３５度、好ましくは９０ないし１２０度旋回して展開・折畳みされる水平方向に伸びるステイ５ｂと、当該ステイの先端に前記旋回軸と平行な軸回りに少なくとも９０度回動可能にかつ少なくとも９０度上方に揺動可能に前縁を連結された座板７とを備えている。
【００２０】
この構造の場合は、座板７の後縁側を持ち上げて奥側に押すことにより、ステイ５ｂを旋回軸（実施例の縦棒５１）回りに壁面２に沿う方向に旋回させることにより、座板７及びステイ５ｂが壁面２に添設され、座板７を入口側に引くことにより、ステイ５ｂが壁面２から手間側に伸びる方向に旋回し、座板７を当該ステイの上に載せることによって展開される。
【００２１】
この第２例の構造の場合、ステイの横棒５２を壁面２に沿う方向に付勢するばね３１を設けることにより、ステイ５ｂの折畳み状態を保持することができ、また、ステイ５ｂの先端での座板７の上方への揺動角を９０度に規定すること、あるいは座板７の背面と壁面２とをマグネットキャッチなどで吸着ないし係止することにより、座板７の折畳み状態を保持できる。
【００２２】
座板７の展開状態は、展開位置でのステイ５ｂとその上に載せた座板７の下面とを座幅方向に相対移動不能に係止する係止部材（実施例の後縁部材１７ｂ）を設けることによって保持できる。
【００２３】
上下方向の旋回軸回りに旋回するステイ５ｂで座板７を折畳み可能に支持する構造において、座板７に作用する荷重を支持する脚８を設けるときは、ステイ５ｂと座板７との間に前縁支持部材１３ｂを介在させ、当該前縁支持部材１３ｂとステイ５ｂの先端とを前記旋回軸と平行な軸回りに回動可能に連結すると共に、当該前縁支持部材と座板７の前縁とを上下揺動可能に連結する。そして、前縁支持部材１３ｂの後方の位置で座板７の長手両端に前脚８ａを前方に揺動可能に設け、展開時に進出する側の座板の一端７ａの後縁側に後脚８ｂを前方に揺動可能に設け、これらの前脚及び後脚と前縁支持部材１３ｂとを平行リンク機構９で連結して当該前脚及び後脚の鉛直姿勢を保持する。
【００２４】
脚８を設ける他の構造として、ステイ５ｂの旋回軸を上方が入口側に近くなる方向に２０〜４５度傾斜させ、このステイ５ｂの先端と座板７の前縁とを前記前縁支持部材１３ｂを介して連結し、前脚８ａを前縁支持部材１３ｂに上端を固定して設け、座板７の入口側の一端７ａの後縁側に後脚８ｂを前方に揺動可能に設け、当該前脚又は前縁保持部材と後脚とを平行リンク機構９ｂで連結する構造が採用可能である。ここで、ステイ５ｂの旋回軸を傾斜させるのは、座板７が展開位置から折畳み位置へと移動を開始したときに、前脚８ａの下端を床面１から離隔させるためである。
【００２５】
座板７の上面は、摩擦係数の小さい材料であって、座幅方向に条痕を設けた面とすることにより、座幅方向には滑りやすく、かつ前後方向には滑りにくい座面とするのがよい。脱衣状態で移乗するときは、座板７上にスライディングシート２１を設けるのが良い。介護者が滑り移動の補助をするときは、被介護者の横に座って体全体で押して移動させることもできる。
【００２６】
この発明の滑り移動台は、トイレないし浴室の壁面２に座板７及び当該座板を支持するステイ５が添設された状態に折畳まれ、この折畳み状態で座板の座幅方向の一方の端部７ａが当該トイレないし浴室の入口境界４に隣接して位置し、座板７を水平に展開したときに、当該端部全体ないし当該端部の後方に延在させた部分７ｃが入口境界４の外に突出するようにして設置される。座板７は、座面を壁面２に向けて折畳んでも良いが、座面を室内に向けて折畳む構造が好ましい。
【００２７】
トイレに設けるときは、座板７を水平に展開したときに、座板７の奥縁７ｅが便座２０に近接した位置となるように座板７の座幅方向の寸法を設定する。外開きや内開きのスイング式のドアを備えたトイレや浴室に設けるこの発明の滑り移動台は、座板７を展開時に進出する側の端部７ａに後縁側に突出する後縁突出部７ｃを設けた形状とする。この構造の滑り移動台１０を、入口境界４と直交する壁面２ａに沿って設置したときは、展開時に端部７ａと後縁突出部７ｃとが共に入口境界４の外へと進出し、後縁突出部７ｃが外開きドアの開閉軌跡から外れて位置する。また、入口境界４の延長上に位置する壁面２ｂに沿って設置したときは、展開時に後縁突出部７ｃが入口境界４の外へと進出する。
【発明の効果】
【００２８】
この発明の滑り移動台１０は、折り畳んだとき当該移動台を設置したトイレや浴室の壁面２に添設された状態となり、かつトイレや浴室の入口境界４より内側に折り畳まれる。一方、座板７を展開したときは、その入口側の端部７ａ、７ｃがトイレや浴室の入口境界４より外側に進出する。滑り移動台１０と車椅子間での移乗は、この進出した部分で行うことができ、従って車椅子をトイレや浴室内に乗り入れることなく行うことができる。移動台１０に移乗すれば、その座板７の座幅方向に滑り移動することにより、便器や浴室内の所望の位置へ座位を保持したまま移動して行くことができる。
【００２９】
この発明の滑り移動台１０は、一般家庭の狭いトイレにも簡単に設置することができ、便座２０や浴室内の浴槽３９や浴室用椅子３８に移動した後、移動台１０を折り畳むと入口境界４を閉鎖することができ、遮蔽性を確保できる。
【発明を実施するための最良の形態】
【００３０】
以下、図面を参照して、この発明の実施形態を説明する。図１ないし図４は、この発明の滑り移動台をトイレに設置した第１実施例を示した図で、図１は座板の展開（座れるようにした）状態を、図２は折畳み状態を示した斜視図である。図には、トイレの床面１と一方の（滑り移動台を設置した側の）壁面２ａを実線で示し、天井面と対向する壁面を想像線で示してある。３ａはスライド式のドアであり、４がトイレの入口境界となる。
【００３１】
入口境界４と直交する一方の壁面２ａに沿って、パイプ材からなる２本の支持柱４５が突っ張り構造で立設されている。支持柱４５の一本は、入口境界４のすぐ内側に立設される。他の一本は、展開した座板７のトイレ奥側の端部近くを支持する位置に立設するのが好ましい。各支持柱４５の上部には、突っ張り構造の交叉桁４６が連結されている。
【００３２】
支持柱４５及び交叉桁４６の両端には、それらの間隔を規定すると共に壁面の保護を兼ねた当板４８、４９が設けられている。各当板４８、４９には、支持柱４５又は交叉桁４６の立設間隔に対応する間隔で２個のソケットが固定されており、支持柱４５及び交叉桁４６の端部をこのソケットに挿入することにより、２本の支持柱４５及び交叉桁４６の両端相互がこれらの当板４８、４９で連結されている。
【００３３】
各支持柱４５及び交叉桁４６には、ターンバックルが設けられ、このターンバックルのねじ作用により、支持柱４５は、その当板４８を床面１と天井面に押し付け、また交叉桁４６は、その当板４９を両側の壁面に押し付けて、固定されている。
【００３４】
支持柱４５の座板７の高さとなる位置に、壁面２ａと平行な水平方向の後縁支持パイプ１２ａが、２本の支持柱４５を繋ぐように設けられている。各支持柱４５の下端には、壁面２ａと平行な水平方向の支点ピン１４ａが植設され、ステイ５ａがその下端をこの支点ピン１４ａで枢支されて前後方向に揺動自在に設けられている。折畳み状態をコンパクトにするには、支持柱４５を直径方向に貫通して当該支持柱の内側に突出するように支点ピン１４ａを立設し、折畳んだときにステイ５ａが支持柱４５の内側に収まるようにするのがよい。
【００３５】
２本のステイ５ａの上端は、水平な前縁支持パイプ１３ａで連結され、この前縁支持パイプ１３ａに座板７の前縁に固定した前縁パイプ１６ａが回動自在に挿通されている。
【００３６】
前縁パイプ１６ａの長さは、座板７の前後寸法に壁２ａの厚さを加えた程度、前縁支持パイプ１３ａの長さより短く、その寸法差だけ座板７が前縁支持パイプ１３ａの軸方向である座幅方向に移動可能である。座板７をトイレの奥側に移動したとき、座板７の入口側の端部７ａは、入口境界４の内側に位置し、トイレの入口側に移動したときは、当該端部７ａが入口境界４の外側に突出する。
【００３７】
座板７の後縁には、２本の支持柱４５の間に収まる長さの下向きＵ字断面の後縁フック１７ａが固定されている。この後縁フック１７ａは、座板７をトイレの入口側に移動した状態で２本の支持柱４５の間で後縁支持パイプ１２ａに上から嵌合する位置に設けられている。後縁フック１７ａが２本の支持柱４５の間に挿入されているときは、座板７の幅方向移動は阻止される。
【００３８】
トイレ奥側の支持柱４５には、入口側に移動した座板７の奥縁７ｅの位置より僅かにトイレ奥側に位置させて、折り畳んだ状態の座板７の奥端部７ｂを挿入する縦方向に細長い挿入隙間３５を形成する受具１８が取付けられている。座板７の奥縁７ｅの後端には、座板７をトイレの入口側に引出した状態で挿入隙間３５に遊動可能に留まるガイドピン３６が座幅方向に突出している。
【００３９】
図１の座板の展開状態では、座板７の奥端部７ｂが受具１８から入口側に引出され、ガイドピン３６が受具の挿入隙間３５に案内されて、座板７の後縁が下方に移動し、後縁フック１７ａが後縁支持パイプ１２ａに上から嵌り込み、座板７が後縁フック１７ａと前縁パイプ１６ａで水平に支持された状態となっている。この展開状態で座板７の入口側の端部７ａは、トイレの入口境界４より外側に突出している。
【００４０】
トイレのドア３が開いた状態でなければ座板７は展開できず、座板７が展開しているときは、ドア３を閉じることができない。車椅子使用者は、トイレの外の座板７が入口境界４から突出している端部７ａで、車椅子と移動台１０との間の移乗を行う。
【００４１】
座板７を折り畳むときは、座板７の後縁を持ち上げて前縁を壁面２ａ側に移動させて、座板７が垂直になったところで座板７を奥側に押してその奥端部７ｂを受具の挿入隙間３５に挿入する。座板の入口側端部７ａは、トイレの入口境界４の内側に引き込まれる。この状態でドア３を閉めることができる。定常状態は、座板７を折り畳んだ状態であり、健常者は、この状態でトイレを通常通り使用することができる。
【００４２】
車椅子使用者がトイレを使用するときは、車椅子でトイレの入口近くまで移動し、トイレのドア３を開け、移動台の座板７を引出して、その奥端部７ｂが受具１８から外れた位置で、すなわち入口側端部７ａが入口境界４の外に引出された状態で、後縁を下ろして座板７を展開する。この状態で後縁フック１７ａが後縁支持パイプ１２ａに嵌合し、座板７は座幅方向に移動不能に展開される。そこで車椅子使用者は、車椅子から移動台の座板７に移乗し、座板７を座幅方向に滑り移動して座板７の奥端部７ｂから便座２０へと移乗する。便座２０へ移乗した後、座板７を折畳んでドア３を閉めれば、トイレの遮蔽性が確保される。退出するときは、逆の動作で移動台を経て車椅子に移乗し、移動台１０を折り畳んでトイレのドア３を閉める。
【００４３】
図５ないし７は、この発明の第２実施例を示した図で、図５は座板の展開状態を、図６は座板の折畳み状態を示している。この第２実施例の構造では、移動台の座板７が、鉛直方向の軸回りに９０度旋回する逆Ｌ形の２本のステイ５ｂによって、折畳み自在に支持されている。
【００４４】
図の例では、トイレの壁面２の下端に固定した支持板４７に、移動台の座板７の高さに略相当する長さの２本の鉛直方向の軸受パイプ１４ｂが固定され、各軸受パイプ１４ｂに、逆Ｌ形のステイ５ｂの縦棒５１が回動自在に挿通されている。ステイ５ｂ、従って軸受パイプ１４ｂの一本は、トイレの入口境界４のすぐ内側となる位置に設けられ、奥側の一本は、展開したときの座板の奥縁７ｅの近傍を支持する位置に設けられている。
【００４５】
ステイの横棒５２の先端には、縦棒５１と平行な連結ピン（図には表れていない。）が上向に植立されている。２本のステイの横棒５２の先端相互は、２本の軸受パイプ１４ｂの間隔と等しい間隔を隔ててピン孔を設けた座幅方向に細長い前縁支持板１３ｂの当該ピン孔に前記連結ピンを回動自在に挿通することにより、鉛直軸回りに回動自在に連結されている。
【００４６】
前縁支持板１３ｂの前縁は、座板７の前縁と平行な軸回りの蝶番１６ｂで、座板７の前縁に連結されている。この蝶番１６ｂは、座板７が鉛直方向となる上方に９０度揺動した位置で、それ以上の揺動を阻止するストッパを備えたものとするのがよい。
【００４７】
座板７の裏面には、座板７の展開状態、すなわちステイの横棒５２が壁面２ａに直角になった位置で、ステイの横棒５２に上から嵌合する下向きＵ字形の後縁部材１７ｂが固定されている。ステイ５ｂには、その横棒５２をトイレの奥側に向けて旋回させる方向に付勢する巻ばね３１が設けられ、更に、ステイの横棒５２が壁面２ａに直角となる位置より入口側に旋回するのを阻止するストッパ３２が設けられている。
【００４８】
入口側のステイの横棒５２の先端は、展開したときの座板７のトイレの外への突出長さＬに相当する長さだけ、座板７の入口側の端縁７ｄから内側の位置で、前縁支持板１３ｂに連結されている。展開時の座板７のトイレ外への突出長さを長くしたければ、ステイの横棒５２を長くするか、ステイの横棒５２が壁面２ａに垂直な位置より更に入口側に旋回した位置を座板７の展開位置としてやればよい。座板７の展開位置は、後縁部材１７ｂがステイの横棒５２と係合する位置を調整することにより設定できる。
【００４９】
座板７の展開状態で座板７の後縁を持ち上げ、後縁部材１７ｂとステイの横棒５２との係合を外すと、巻ばね３１の付勢力によって横棒５２がトイレの壁面２ａに沿うようにトイレ奥側に旋回する。横棒５２が壁面２ａと略平行になった状態で、座板７は垂直方向の折畳み位置となり、座板７と前縁支持板１３ｂとを連結している蝶番１６ｂが備えているストッパと壁面２ａとに挟まれた状態で、座板７の折畳み位置が保持される。
【００５０】
折畳み状態から座板７を壁面２ａから離す方向に引くと、ステイ５ｂが旋回し、座板７がステイの横棒５２に向けて倒れてくる。そして、ステイの横棒５２が壁面２ａに対して９０度の方向を向いた状態で、後縁部材１７ｂがステイの横棒５２に嵌合し、この嵌合によってステイ５ｂの軸受パイプ１４ｂ回りの旋回が阻止されることにより、座板７の展開状態が保持される。
【００５１】
座板７の展開状態において、座板の入口側の端部７ａは、入口境界４を越えてトイレの外へと突出する。座板７の長さは、このとき、座板の奥縁７ｅが便座２０に近接して位置する長さのものとする。
【００５２】
次に第２実施例の動作を説明する。前述した折畳み状態では、座板の入口側の端部７ａは、トイレの入口境界４の内側に位置しており、トイレのドアは閉じている。車椅子使用者は、トイレの入口まで車椅子で移動し、トイレのドアを開け、座板７を引出して展開する。座板７は、その入口側の端部７ａがトイレの入口境界４から外へ突出した状態で展開されるから、車椅子使用者は、車椅子から座板７上へ移譲し、座板７上を滑り移動して便座２０に移乗する。この状態で移動台の座板７の後縁を持ち上げると、座板７は、トイレの壁面２ａに沿った状態で折り畳まれ、トイレ外に突出していた座板の入口側端部７ａが入口境界４の内側に引き込まれるから、トイレのドア３を閉める。
【００５３】
トイレから出るときは、まずドア３を開き、折り畳まれている座板７を壁面２ａから離す方向に引出し、座板７の後縁を押し下げるように動かすと、座板７が展開され、後縁部材１７ｂとステイの横棒５２との嵌合により、その展開状態が保持される。そこで、移乗者は、便座２０から座板７に移乗し、座板７上を滑ってトイレの外に突出している座板の端部７ａに移動し、トイレの外で待機している車椅子に移乗する。そして、座板７の後縁を持ち上げて座板７を折畳み、トイレのドアを閉める。
【００５４】
移動台を浴室に設置する場合のように、車椅子から移動台に移乗するときに既に脱衣していると考えられるときは、座板７にスライディングシート２１を装着するのが便利である。すなわち、図８に示すように、座板７には、その長手方向にエンドレスのスライディングシート２１を巻回する。これにより、移乗者は、座板７とスライディングシート２１との間の滑りにより、座板７上を座幅方向に移動できる。
【００５５】
浴室のドアは通常内開きで、図１１に示すように、室の中心に向けて開かれる。従って、入口境界４と直交する壁面２ａに、この発明の移動台を設置することはできない。そこで入口境界４の延長上にある壁面２ｂに移動台１０を設置することとなる。この場合には、図９〜１１に示すように、座板７の入口側端部７ａ、すなわち入口側のステイ５ｂより外側に延在している部分７ａの後縁を後方に延在させて、座板７の展開時に入口境界４の外へ突出する後縁突出部７ｃを設ける。座板７は、平面視で幅広Ｌ形となる。
【００５６】
座板７を上記の形状にすると、ドア３を内側に向けて開き、入口境界４の延長上にある壁面２ｂに折り畳まれた状態となっている座板７を入口境界４の方に向けて引出すと、座板の入口側の端部７ａが入口境界４の内側へ移動して来ることとなる。この状態で座板７をその前縁回りに水平に倒して展開すると、座板の入口側端部７ａの後方に延在させた後縁突出部７ｃは、入口境界４を越えて外へと突出する。
【００５７】
そこで車椅子使用者は、浴室の入口境界４の外に置いた車椅子からこの後縁突出部７ｃに移乗し、座板の入口側の端部７ａの前方部を経て座板７を座幅方向に滑り移動し、浴室用椅子３８又は浴槽３９に移乗する。移乗後、座板７の後縁を持ち上げると、座板７の前縁回りの揺動により、入口境界４の外に突出していた後縁突出部７ｃは、浴室内へと引き込まれるから、その状態でステイ５ｂを奥側に旋回して座板７を壁面２ｂに沿わせた状態で折り畳む。この状態で座板の入口側端部７ａ及び後縁突出部７ｃは、入口境界４の内側から退避するから、ドア３を閉鎖することができる。
【００５８】
浴室から退出するときは、前記と逆の動作、すなわち浴室のドア３を開き、移動台１０を展開して浴室用椅子３８又は浴槽３９から移動台の座板７上に移乗し、入口境界４の外へ突出している後縁突出部７ｃまで移動してから、浴室の外で待機している車椅子に移乗する。そして、座板７の後縁を持ち上げて壁面２ｂ側に向けて押し込むと、座板７が折り畳まれるから、その状態でドア３を閉める。
【００５９】
第２、３実施例の折畳み構造を備えた滑り移動台を第１実施例に示したような突っ張り構造の支持柱４５を用いて設置するときは、２本の支持柱４５の下端部に軸受パイプ１４ｂを固着してやればよい。また、、第２及び第３実施例に示した座板の折畳み構造は、構成部材が少なく、コンパクトであり、座板の長さの変更に伴う構成部材の変更も少なくて済むので、特に狭いトイレや浴室に設置するのに適している。
【００６０】
入口境界４と直交する壁面２ａにこの発明の滑り移動台１０を設けた第１実施例及び第２実施例の構造において、座板７として第３実施例で示した入口境界側の端部７ａに後縁突出部７ｃを備えた座板を用いれば、図１２に示すように、外開きドア３と入口境界４の外に乗り捨てた車椅子３０とが干渉しない位置で、車椅子３０と移動台１０との間の移乗を行うことができる。
【００６１】
座板展開時に入口境界４を越えて突出する座板の端部７ａに設けた後縁突出部７ｃは、座板展開時には、入口境界４の外でドア３の開閉軌跡３ａから離れる方向に延在することとなる。そして、座板７をその前縁回りに上方に折り畳む構造では、後縁突出部７ｃの突出長さを必要なだけ長くすることができるから、車椅子３０と座板の後縁突出部７ｃとの間の移乗位置を外開きドア３の開閉軌跡３ａから離れた位置とすることができ、当該位置に留められる車椅子３０と外開きドア３との干渉を避けることができるのである。
【００６２】
前述した第１〜第３各実施例の構造では、座板７に作用する荷重を支持柱４５や壁面２の横方向の強度で受けることとなり、壁や天井の強度が充分でないときは、このような支持構造を採用することは困難である。
【００６３】
図１３〜１９に示す第４及び第５実施例は、そのような場合の移動台の例を示した図で、展開したときの座板７に作用する荷重を受ける脚８（８ａ、８ｂ）を設けた構造である。図の例では、座板７の前縁両端と入口側端部の後縁とに脚８ａ、８ｂを設けている。座板７は、その後縁回りに上方に折り畳む構造で、脚８は平行リンク機構９（９ａ、９ｂ）により、常に下向きの姿勢を保持する構造である。
【００６４】
図１３〜１５に示す第４実施例において、移動台を設置する壁面２ａには、その座面高さの位置に水平方向の角軸２２がブラケット２３で固定されている。角軸２２には、軸方向の角孔を有する後縁支持パイプ１２ｂが軸方向移動可能かつ回動不能に挿通されている。座板７は、水平方向の丸孔を備えた揺動ブラケット２４で、その後縁を後縁支持パイプ１２ｂに軸方向移動不能かつ上下揺動可能に枢着されている。
【００６５】
座板７の前縁下面には、後縁支持パイプ１２ｂと平行な脚取付軸２５がブラケット２６で回動自在に軸支されており、２本の前脚８ａの上端は、この脚取付軸２５に固着されている。座板の入口側端部７ａの後縁側に設けた後脚８ｂは、その上端を後縁支持パイプ１２ｂと平行な軸回りに揺動可能にして、後縁支持パイプ１２ｂの手間側の位置で、すなわち座板７を後縁支持パイプ１２ｂ回りに上方に揺動したときに脚８ｂの下端が床面から離れる位置で、座板７の下面に枢着されている。すなわち、前脚８ａ及び後脚８ｂは、座板７の前後方向に折畳み可能に取付けられている。
【００６６】
後縁支持パイプ１２ｂと脚取付軸２５とは、これらに固設した平行なアーム５３、５４と当該両アームの先端を繋ぐ連結棒５５ａとを含んで形成された平行リンク機構９ａで連結されている。また、入口境界側の前脚８ａと後脚８ｂとは、両脚の根元部分相互を繋ぐ連結棒５５ｂを含む平行リンク機構９ｂで連結されている。後縁支持パイプ１２ｂは、角軸２２に揺動不能に挿通されており、従って座板７の展開折畳み状態に関わらず軸回りの方向は一定であり、この後縁支持パイプ１２ｂに平行リンク機構９ａ及び９ｂで連結された前脚８ａ及び後脚８ｂは、常に下向きの姿勢を保持する。そして、座板７を展開したとき、脚８ａ、８ｂの下端は、床面に当接し、座板７に作用する荷重を支持する。
【００６７】
なお、脚８は、自重で下向きに垂れ下がるので、平行リンク機構９は、脚８の下向きの姿勢を保持する機能よりもむしろ床に着いたときの脚８の前後方向の揺れを防止する機能に重点を置いて、アーム５３、５４の角度や連結棒５５の取付位置を決定するのが良い。
【００６８】
座板７は、後縁支持パイプ１２ｂ回りに９０度上方へ揺動することによって折り畳まれ、角軸２２に沿って後縁支持パイプ１２ｂを奥側に摺動させることにより、入口境界４から壁面２ａ側へと退避する。座板７の折畳み状態の保持と、展開時の座板７の入口側への移動は、図１、２に示したような受具１８を設けることによって実現できる。
【００６９】
座板７に作用する荷重を支持する脚８は、第１実施例に示す折畳み構造を採用した場合にも設けることができる。すなわち、座板７の前縁両端と後縁の入口側端部（後縁突出部７ｃを設けたときは、その突出した後縁の位置）とに、前脚８ａと後脚８ｂとを第４実施例と同様な構造で設け、ステイ５ａとこれに平行な連結棒を含む平行リンク機構及び前脚と後脚とを繋ぐ平行リンク機構により、脚の下向き姿勢を保持する。
【００７０】
上下方向の旋回軸回りに旋回する水平方向のステイ５ｂの先端に座板７の前縁を上下揺動自在に連結した第２及び第３実施例の移動台に脚８を設けるときは、前脚８ａ及び後脚８ｂの上端を座板７の下面に前縁支持板１３ｂと平行な軸回りに折畳み可能に枢着し、当該前脚８ａ及び後脚８ｂと前縁支持板１３ｂとを平行リンク機構で連結する構造が採用可能である。この場合の前脚８ａは、座板７と前縁支持板１３ｂとの枢着位置より後側に設け、座板７を前縁回りに上方に揺動したときに、前脚の下端が床面から離れるようにする。
【００７１】
第２及び第３実施例の構造においては、水平方向のステイ５ｂの旋回軸を斜めにすることによって、前脚８ａを前縁支持板１３ｂに固着して設ける構造が可能である。図１６〜１９に示す第５実施例は、その場合の構造の一例を示した図である。図１６〜１９において、逆Ｌ字形のステイ５ｂの縦棒５１を軸支している軸受パイプ１４ｂは、上端が下端より入口境界側に変位する方向に傾斜している。その傾斜角は鉛直軸に対して２０〜４５度、好ましくは２０〜３０度程度である。ステイの横棒５２の先端は、縦棒５１と平行な方向に屈曲され、この屈曲部５７が前縁支持板１３ｂに固着した連結パイプ５８に回動自在に挿通されている。連結パイプ５８は、軸受パイプ１４ｂと同じ角度斜めにして前縁支持板１３ｂに固着されている。座板７は、その前縁を前縁支持板１３ｂの上縁に蝶番１６ｂで上方に揺動可能に枢着されている。２本の前脚８ａは、その上端を前縁支持板１３ｂに固着して設けられている。
【００７２】
この実施例の座板７は、入口側の端部７ａに後縁突出部７ｃを備えた構造で、その後縁突出部の後縁に近い座板の下面に、後脚８ｂの上端が前縁支持板１３ｂと平行な軸回りに揺動可能に枢着されている。そして、後脚８ｂと入口境界側の前脚８ａとが連結棒５５ｂを含む平行リンク機構９ｂで連結されている。
【００７３】
上記構造において、展開状態の座板７の後縁を持ち上げ、座板７を奥側へと押動すると、ステイ５ｂの斜めになった縦軸５１回りの旋回により、前縁支持板１３ｂ及び座板７は、上昇しながら奥側へと移動する。そして、この上昇を伴う移動により、前縁支持板１３ｂに固着した前脚８ａの下端が床面から離隔して壁面側へと移動して折り畳まれる。
【００７４】
水平方向に伸びて旋回するステイ５ｂの先端に座板７の前縁を上下揺動自在に連結する折畳み構造の場合は、旋回軸を傾斜させた場合であっても、座板展開時にステイの横棒５２が壁面２に垂直である必要はない。第２実施例に示したストッパ３２と後縁部材１７ｂの位置を調整することにより、壁面に垂直な位置より更に入口境界側にステイ５ｂが旋回した位置を、座板７の展開位置に設定することができる。そのようにすれば、入口境界４から突出する端部７ａの突出量を大きくすることができ、後縁突出部７ｃの座面の奥行き寸法（座板７の長手方向）の大きくできるという利点がある。
【００７５】
ステイ５ｂの旋回軸を上記の方向に傾斜させると、折畳み時に座板７の前縁が上昇するから、折畳み移動時に座板の奥側と便座２０等との干渉を避けるのに有利である。
【産業上の利用可能性】
【００７６】
以上説明したように、この発明の滑り移動台は、トイレや浴室の壁面に沿って設置することにより、その座板に座ったまま滑り移動して、車椅子をトイレや浴室の外に置いた状態で浴槽や便座まで移動することができる。
【００７７】
そして、折り畳んだとき、トイレや浴室の入口境界から外へと突出した座板の端部が入口境界の内側へ移動するので、その状態でトイレや浴室のドアを閉めることができる。従って、トイレや浴室を使用する際の遮蔽性が確保できる。
【００７８】
更に、車椅子使用者が使用するとき以外は、座板７及びそれを支持するステイ５や脚８がトイレや浴室の壁面に沿って折り畳まれた状態となっているので、車椅子使用者と同居する健常者は、通常状態でトイレや浴室を使用できる。
【００７９】
また、構造が簡単で設置も容易であり、トイレや浴室自体の改修を必要とせずに設置することも可能である。
【００８０】
従って、トイレの便座や浴室の浴槽に車椅子から移乗するとき、車椅子をトイレや浴槽内に乗り入れる必要がなくなり、更に設置することにより健常者の使用の妨げとなることがないので、狭い一般家庭のトイレや浴槽に設置することで、車椅子使用者の生活の質を向上させることが可能で、介護者の負担も軽減できる。
【図面の簡単な説明】
【００８１】
【図１】第１実施例を座板の展開状態で示す斜視図
【図２】第１実施例を座板の折畳み状態で示す斜視図
【図３】第１実施例を展開状態で示す平面図
【図４】同側面図
【図５】第２実施例を展開状態で示す斜視図
【図６】第２実施例を折畳み状態で示す斜視図
【図７】座板を下面側から見た斜視図
【図８】スライドシートを設けた例の説明図
【図９】第３実施例を展開状態で示す斜視図
【図１０】第３実施例を折畳み状態で示す斜視図
【図１１】第３実施例を展開状態で示す平面図
【図１２】第３実施例を他の展開状態で示す平面図
【図１３】第４実施例を展開状態で示す斜視図
【図１４】第４実施例の折畳み状態を壁面側から見た斜視図
【図１５】脚の姿勢保持機構の要部を示す斜視図
【図１６】第５実施例を展開状態で示す斜視図
【図１７】第５実施例を折畳み状態で示す斜視図
【図１８】第５実施例の折畳み状態を壁面側から見た斜視図
【図１９】第５実施例の展開状態を壁面への取付部材を省略して壁面側から見た斜視図
【符号の説明】
【００８２】
2a,2b  壁面
３  ドア
４  入口境界
5a,5b  ステイ
７  座板
7a  座板の進出側端部
7b  座板の後縁突出部
8a  前脚
8b  後脚
9a,9b  平行リンク機構
10  移動台
12a,12b  後縁支持部材
13a,13b  前縁支持部材
14a  支点ピン
14b  軸受パイプ
16a  前縁パイプ
16b  蝶番
17a  後縁フック
17b  係合部材(17b)
17a  後縁フック(17a)
17b  後縁部材（係止部材）
20  便座
38  浴室用椅子
39  浴槽
31  巻ばね
32  ストッパ
52  ステイ5bの横棒
【図１】
2010057865.tif 000003
【図２】
2010057865.tif 000004
【図３】
2010057865.tif 000005
【図４】
2010057865.tif 000006
【図５】
2010057865.tif 000007
【図６】
2010057865.tif 000008
【図７】
2010057865.tif 000009
【図８】
2010057865.tif 000010
【図９】
2010057865.tif 000011
【図１０】
2010057865.tif 000012
【図１１】
2010057865.tif 000013
【図１２】
2010057865.tif 000014
【図１３】
2010057865.tif 000015
【図１４】
2010057865.tif 000016
【図１５】
2010057865.tif 000017
【図１６】
2010057865.tif 000018
【図１７】
2010057865.tif 000019
【図１８】
2010057865.tif 000020
【図１９】
2010057865.tif 000021